(57)【特許請求の範囲】
【請求項１】
第１の端末に接続された第１のイーサネット終端装置と第２の端末に接続された第２のイーサネット終端装置とが対向するように配置され、イーサネット信号をカプセル化して伝送するシステムにおける警報転送方式であって、
前記第１のイーサネット終端装置は、前記第２の端末と前記第２のイーサネット終端装置との間のリンクがダウンしたことを前記第２のイーサネット終端装置から通知されたこと、または前記第１のイーサネット終端装置と前記第２のイーサネット終端装置との間で伝送路障害が発生したことを検出し、この検出に基づいて前記第１の端末と前記第１のイーサネット終端装置との間のリンクを強制的にダウンさせた場合、前記第１の端末と前記第１のイーサネット終端装置とのリンクがダウンしたことを前記第２のイーサネット終端装置に通知しないことを特徴とする警報転送方式。
【請求項２】
第１の端末に接続された第１のイーサネット終端装置と第２の端末に接続された第２のイーサネット終端装置とが、前記第１のイーサネット終端装置へ接続された第１の中継装置および前記第２のイーサネット終端装置へ接続された第２の中継装置を介して対向するように配置され、イーサネット信号をカプセル化して伝送するシステムにおける警報転送方式であって、
前記第１のイーサネット終端装置は、前記第２の端末と前記第２のイーサネット終端装置との間、または前記第１のイーサネット終端装置と前記第２のイーサネット終端装置との間で伝送路障害が発生したことを前記第２のイーサネット終端装置から通知され、あるいは前記第２のイーサネット終端装置と前記第１のイーサネット終端装置との間で伝送路障害が発生したことを前記第１のイーサネット終端装置で検出し、この通知または検出に基づいて強制的なリンクダウン制御を行った場合、前記第１の端末と前記第１のイーサネット終端装置とのリンクがダウンしたことを前記第２のイーサネット終端装置に通知しないことを特徴とする警報転送方式。
【請求項３】
第１の端末に接続された第１のイーサネット終端装置と第２の端末に接続された第２のイーサネット終端装置とが対向するように配置され、イーサネット信号をカプセル化して伝送し、前記各イーサネット終端装置及び前記各端末間のいずれかの伝送路に障害が発生した場合に前記各イーサネット終端装置及び各端末間のリンクをダウンさせ、障害復旧後に前記各イーサネット終端装置及び各端末間のリンクを再確立するシステムにおける警報転送方式であって、
前記第１のイーサネット終端装置は、前記第２の端末と前記第２のイーサネット終端装置との間のリンクがダウンしたことを前記第２のイーサネット終端装置から通知されたこと、または前記第１のイーサネット終端装置と前記第２のイーサネット終端装置との間で伝送路障害が発生したことを検出し、この検出に基づいて前記第１の端末と前記第１のイーサネット終端装置との間のリンクを強制的にダウンさせた場合、前記第１の端末と前記第１のイーサネット終端装置とのリンクがダウンしたことを前記第２のイーサネット終端装置に通知しないことを特徴とする警報転送方式。
【請求項４】
第１の端末に接続された第１のイーサネット終端装置と第２の端末に接続された第２のイーサネット終端装置とが、前記第１のイーサネット終端装置へ接続された第１の中継装置および前記第２のイーサネット終端装置へ接続された第２の中継装置を介して対向するように配置され、イーサネット信号をカプセル化して伝送し、前記各イーサネット終端装置及び前記各端末間のいずれかの伝送路に障害が発生した場合に前記各イーサネット終端装置及び各端末間のリンクをダウンさせ、障害復旧後に前記各イーサネット終端装置及び各端末間のリンクを再確立するシステムにおける警報転送方式であって、
前記第１のイーサネット終端装置は、前記第２の端末と前記第２のイーサネット終端装置との間、または前記第１のイーサネット終端装置と前記第２のイーサネット終端装置との間で伝送路障害が発生したことを前記第２のイーサネット終端装置から通知され、あるいは前記第２のイーサネット終端装置と前記第１のイーサネット終端装置との間で伝送路障害が発生したことを前記第１のイーサネット終端装置で検出し、この通知または検出に基づいて強制的なリンクダウン制御を行った場合、前記第１の端末と前記第１のイーサネット終端装置とのリンクがダウンしたことを前記第２のイーサネット終端装置に通知しないことを特徴とする警報転送方式。
【請求項５】
前記第１のイーサネット終端装置と前記第２のイーサネット終端装置との間で発生した伝送路障害に基づいて強制的なリンクダウン制御を行った場合、障害が復旧してから所定の時間が経過した後に強制的なリンクダウン制御を停止することを特徴とする請求項１から４のいずれか１項記載の警報転送方式。
【請求項６】
前記第１および第２のイーサネット終端装置は、複数の入力ＧｂＥ信号と複数の出力ＧｂＥ信号との間の接続変更を行うクロスコネクト装置であることを特徴とする請求項１から５のいずれか１項記載の警報転送方式。
【請求項７】
前記第１および第２のイーサネット終端装置は、複数のＧｂＥ信号を多重化する多重化装置であることを特徴とする請求項１から５のいずれか１項記載の警報転送方式。
【請求項８】
前記第１および第２のイーサネット終端装置は、リンクがダウンしたことの通知をイーサネット信号単位で行い、対向するイーサネット終端装置は、送信元のイーサネット信号を識別して、対応する端末に対してのみ強制的なリンクダウン制御を行うことを特徴とする請求項６または７記載の警報転送方式。
【請求項９】
端末に接続されたイーサネット終端装置同士が、少なくとも２つ、対向するように配置され、イーサネット信号をカプセル化して伝送するシステムにおける警報転送方式であって、
他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする警報転送方式。
【請求項１０】
端末に接続されたイーサネット終端装置同士が、少なくとも２つ、中継装置を介して対向するように配置され、イーサネット信号をカプセル化して伝送するシステムにおける警報転送方式であって、
他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする警報転送方式。
【請求項１１】
端末に接続されたイーサネット終端装置同士が、少なくとも２つ、対向するように配置され、イーサネット信号をカプセル化して伝送し、前記各イーサネット終端装置及び前記各端末間のいずれかの伝送路に障害が発生した場合に前記各イーサネット終端装置及び各端末間のリンクをダウンさせ、障害復旧後に前記各イーサネット終端装置及び各端末間のリンクを再確立するシステムにおける警報転送方式であって、
他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする警報転送方式。
【請求項１２】
端末に接続されたイーサネット終端装置同士が、少なくとも２つ、中継装置を介して対向するように配置され、イーサネット信号をカプセル化して伝送し、前記各イーサネット終端装置及び前記各端末間のいずれかの伝送路に障害が発生した場合に前記各イーサネット終端装置及び各端末間のリンクをダウンさせ、障害復旧後に前記各イーサネット終端装置及び各端末間のリンクを再確立するシステムにおける警報転送方式であって、
他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする警報転送方式。
【請求項１３】
イーサネット終端装置間の伝送路で発生した伝送路障害に基づいて強制的にリンクをダウンさせた場合、障害が復旧してから所定の時間が経過した後に強制的リンクダウン制御を停止することを特徴とする請求項９から１２のいずれか１項記載の警報転送方式。
【請求項１４】
第１の端末に接続された第１のイーサネット終端装置と第２の端末に接続された第２のイーサネット終端装置とが対向するように配置され、イーサネット信号をカプセル化して伝送するシステムにおける警報転送方法であって、
前記第１のイーサネット終端装置は、前記第２の端末と前記第２のイーサネット終端装置との間のリンクがダウンしたことを前記第２のイーサネット終端装置から通知されたこと、または前記第１のイーサネット終端装置と前記第２のイーサネット終端装置との間で伝送路障害が発生したことを検出し、この検出に基づいて前記第１の端末と前記第１のイーサネット終端装置との間のリンクを強制的にダウンさせた場合、前記第１の端末と前記第１のイーサネット終端装置とのリンクがダウンしたことを前記第２のイーサネット終端装置に通知しないことを特徴とする警報転送方法。
【請求項１５】
第１の端末に接続された第１のイーサネット終端装置と第２の端末に接続された第２のイーサネット終端装置とが、前記第１のイーサネット終端装置へ接続された第１の中継装置および前記第２のイーサネット終端装置へ接続された第２の中継装置を介して対向するように配置され、イーサネット信号をカプセル化して伝送するシステムにおける警報転送方法であって、
前記第１のイーサネット終端装置は、前記第２の端末と前記第２のイーサネット終端装置との間、または前記第１のイーサネット終端装置と前記第２のイーサネット終端装置との間で伝送路障害が発生したことを前記第２のイーサネット終端装置から通知され、あるいは前記第２のイーサネット終端装置と前記第１のイーサネット終端装置との間で伝送路障害が発生したことを前記第１のイーサネット終端装置で検出し、この通知または検出に基づいて強制的なリンクダウン制御を行った場合、前記第１の端末と前記第１のイーサネット終端装置とのリンクがダウンしたことを前記第２のイーサネット終端装置に通知しないことを特徴とする警報転送方法。
【請求項１６】
第１の端末に接続された第１のイーサネット終端装置と第２の端末に接続された第２のイーサネット終端装置とが対向するように配置され、イーサネット信号をカプセル化して伝送し、前記各イーサネット終端装置及び前記各端末間のいずれかの伝送路に障害が発生した場合に前記各イーサネット終端装置及び各端末間のリンクをダウンさせ、障害復旧後に前記各イーサネット終端装置及び各端末間のリンクを再確立するシステムにおける警報転送方法であって、
前記第１のイーサネット終端装置は、前記第２の端末と前記第２のイーサネット終端装置との間のリンクがダウンしたことを前記第２のイーサネット終端装置から通知されたこと、または前記第１のイーサネット終端装置と前記第２のイーサネット終端装置との間で伝送路障害が発生したことを検出し、この検出に基づいて前記第１の端末と前記第１のイーサネット終端装置との間のリンクを強制的にダウンさせた場合、前記第１の端末と前記第１のイーサネット終端装置とのリンクがダウンしたことを前記第２のイーサネット終端装置に通知しないことを特徴とする警報転送方法。
【請求項１７】
第１の端末に接続された第１のイーサネット終端装置と第２の端末に接続された第２のイーサネット終端装置とが、前記第１のイーサネット終端装置へ接続された第１の中継装置および前記第２のイーサネット終端装置へ接続された第２の中継装置を介して対向するように配置され、イーサネット信号をカプセル化して伝送し、前記各イーサネット終端装置及び前記各端末間のいずれかの伝送路に障害が発生した場合に前記各イーサネット終端装置及び各端末間のリンクをダウンさせ、障害復旧後に前記各イーサネット終端装置及び各端末間のリンクを再確立するシステムにおける警報転送方法であって、
前記第１のイーサネット終端装置は、前記第２の端末と前記第２のイーサネット終端装置との間、または前記第１のイーサネット終端装置と前記第２のイーサネット終端装置との間で伝送路障害が発生したことを前記第２のイーサネット終端装置から通知され、あるいは前記第２のイーサネット終端装置と前記第１のイーサネット終端装置との間で伝送路障害が発生したことを前記第１のイーサネット終端装置で検出し、この通知または検出に基づいて強制的なリンクダウン制御を行った場合、前記第１の端末と前記第１のイーサネット終端装置とのリンクがダウンしたことを前記第２のイーサネット終端装置に通知しないことを特徴とする警報転送方法。
【請求項１８】
前記第１のイーサネット終端装置と前記第２のイーサネット終端装置との間で発生した伝送路障害に基づいて強制的なリンクダウン制御を行った場合、障害が復旧してから所定の時間が経過した後に強制的なリンクダウン制御を停止することを特徴とする請求項１４から１７のいずれか１項記載の警報転送方法。
【請求項１９】
前記第１および第２のイーサネット終端装置は、複数の入力ＧｂＥ信号と複数の出力ＧｂＥ信号との間の接続変更を行うクロスコネクト装置であることを特徴とする請求項１４から１８のいずれか１項記載の警報転送方法。
【請求項２０】
前記第１および第２のイーサネット終端装置は、複数のＧｂＥ信号を多重化する多重化装置であることを特徴とする請求項１４から１８のいずれか１項記載の警報転送方法。
【請求項２１】
前記第１および第２のイーサネット終端装置は、リンクがダウンしたことの通知をイーサネット信号単位で行い、対向するイーサネット終端装置は、送信元のイーサネット信号を識別して、対応する端末に対してのみ強制的なリンクダウン制御を行うことを特徴とする請求項１９または２０記載の警報転送方法。
【請求項２２】
端末に接続されたイーサネット終端装置同士が、少なくとも２つ、対向するように配置され、イーサネット信号をカプセル化して伝送するシステムにおける警報転送方法であって、
他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする警報転送方法。
【請求項２３】
端末に接続されたイーサネット終端装置同士が、少なくとも２つ、中継装置を介して対向するように配置され、イーサネット信号をカプセル化して伝送するシステムにおける警報転送方法であって、
他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする警報転送方法。
【請求項２４】
端末に接続されたイーサネット終端装置同士が、少なくとも２つ、対向するように配置され、イーサネット信号をカプセル化して伝送し、前記各イーサネット終端装置及び前記各端末間のいずれかの伝送路に障害が発生した場合に前記各イーサネット終端装置及び各端末間のリンクをダウンさせ、障害復旧後に前記各イーサネット終端装置及び各端末間のリンクを再確立するシステムにおける警報転送方法であって、
他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする警報転送方法。
【請求項２５】
端末に接続されたイーサネット終端装置同士が、少なくとも２つ、中継装置を介して対向するように配置され、イーサネット信号をカプセル化して伝送し、前記各イーサネット終端装置及び前記各端末間のいずれかの伝送路に障害が発生した場合に前記各イーサネット終端装置及び各端末間のリンクをダウンさせ、障害復旧後に前記各イーサネット終端装置及び各端末間のリンクを再確立するシステムにおける警報転送方法であって、
他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする警報転送方法。
【請求項２６】
イーサネット終端装置間の伝送路で発生した伝送路障害に基づいて強制的にリンクをダウンさせた場合、障害が復旧してから所定の時間が経過した後に強制的リンクダウン制御を停止することを特徴とする請求項２２から２５のいずれか１項記載の警報転送方法。
【発明の詳細な説明】
【０００１】
【発明の属する技術分野】
本発明は、イーサネット信号をＧＦＰ（Generic  Framing  Procedure）等でカプセル化して伝送するシステムにおける警報転送方式及び方法に関する。特に、一方のイーサネット終端装置でリンクダウンを検出したときには、対向するイーサネット終端装置にリンクダウン情報を通知して、対向する端末とのリンクをダウンさせる警報転送方式及び方法に関する。
【０００２】
【従来の技術】
従来、イーサネットをコンピュータ（特にパソコン）間通信として利用する場合には、インタネットとしての統括的なネットワーク監視は行われていなかった。これは、インタネットが元々Ｂｅｓｔ  Ｅｆｆｏｒｔサービス（帯域に空きがあれば利用できるが、帯域や品質の保証はしないというサービス）で提供されるものだからである。
【０００３】
しかしながら、インタネットを基幹系ネットワークとして利用しようという動きがあり、帯域や品質の保証が必要になってきた。例えば、伝送路に障害が発生したときには予備の伝送路に切り替えて回線の救済を行うプロテクション機能が品質を保証するために必要となる。
【０００４】
従来の警報転送の動作シーケンスを図７に示す。
従来は端末と端末との間でデータリンクが確立しているかを監視していた。この場合は、端末間のどの位置で障害が発生しても対向する端末でリンクが切断されることにより障害を検出することができ、さらに送信側端末に対してリンクを切断する制御を行うことで、送信側端末でリンク切断状態になり、障害を認識することができた。
端末間に中継装置が入っていても、中継装置が端末からのデータをなんら加工せずに透過的に転送すれば動作は変わらない。
【０００５】
【発明が解決しようとする課題】
しかしながら、端末からのデータを一旦終端し、ＧＦＰ等の技術でカプセル化を行って中継区間を転送する場合は、端末間のデータリンク制御が行えないため、中継区間で発生した障害が対向端末で検出できないという問題があった。
中継区間をＧＦＰ等でカプセル化する理由としては、例えば複数のイーサネット信号を多重して伝送する場合、各パケットがどのイーサネット信号に含まれていたのかを識別する必要があり、ＧＦＰのヘッダ内に識別情報を載せるためである。
【０００６】
本発明はかかる問題に鑑みてなされたものであり、イーサネットパスの中継区間をＧＦＰ等でカプセル化して転送する場合の警報転送方式及び方法を提供することを目的とする。
【０００７】
【課題を解決するための手段】
上記目的を達成するため本発明による警報転送方式は、第１の端末に接続された第１のイーサネット終端装置と第２の端末に接続された第２のイーサネット終端装置とが対向するように配置され、イーサネット信号をカプセル化して伝送するシステムにおける警報転送方式であって、第１のイーサネット終端装置は、第２の端末と第２のイーサネット終端装置との間のリンクがダウンしたことを第２のイーサネット終端装置から通知されたこと、または第１のイーサネット終端装置と第２のイーサネット終端装置との間で伝送路障害が発生したこと、を検出し、この検出に基づいて第１の端末と第１のイーサネット終端装置との間のリンクを強制的にダウンさせた場合、第１の端末と第１のイーサネット終端装置とのリンクがダウンしたことを第２のイーサネット終端装置に通知しないことを特徴とする。
【０００８】
または、本発明による警報転送方式は、第１の端末に接続された第１のイーサネット終端装置と第２の端末に接続された第２のイーサネット終端装置とが、第１のイーサネット終端装置へ接続された第１の中継装置および第２のイーサネット終端装置へ接続された第２の中継装置を介して対向するように配置され、イーサネット信号をカプセル化して伝送するシステムにおける警報転送方式であって、第１のイーサネット終端装置は、第２の端末と第２のイーサネット終端装置との間、または第１のイーサネット終端装置と第２のイーサネット終端装置との間で伝送路障害が発生したことを第２のイーサネット終端装置から通知された場合、あるいは第２のイーサネット終端装置と第１のイーサネット終端装置との間で伝送路障害が発生したことを第１のイーサネット終端装置で検出し、この通知または検出に基づいて強制的なリンクダウン制御を行った場合、第１の端末と第１のイーサネット終端装置とのリンクがダウンしたことを第２のイーサネット終端装置に通知しないことを特徴とする。
【０００９】
または、本発明による警報転送方式は、第１の端末に接続された第１のイーサネット終端装置と第２の端末に接続された第２のイーサネット終端装置とが対向するように配置され、イーサネット信号をカプセル化して伝送し、各イーサネット終端装置及び各端末間のいずれかの伝送路に障害が発生した場合に各イーサネット終端装置及び各端末間のリンクをダウンさせ、障害復旧後に各イーサネット終端装置及び各端末間のリンクを再確立するシステムにおける警報転送方式であって、第１のイーサネット終端装置は、の端末と第２のイーサネット終端装置との間のリンクがダウンしたことを第２のイーサネット終端装置から通知されたこと、または第１のイーサネット終端装置と第２のイーサネット終端装置との間で伝送路障害が発生したことを検出し、この検出に基づいて第１の端末と第１のイーサネット終端装置との間のリンクを強制的にダウンさせた場合、の端末とのイーサネット終端装置とのリンクがダウンしたことを第２のイーサネット終端装置に通知しないことを特徴とする。
【００１０】
または、本発明による警報転送方式は、第１の端末に接続された第１のイーサネット終端装置と第２の端末に接続された第２のイーサネット終端装置とが、のイーサネット終端装置へ接続された第１の中継装置およびのイーサネット終端装置へ接続された第２の中継装置を介して対向するように配置され、イーサネット信号をカプセル化して伝送し、イーサネット終端装置及び各端末間のいずれかの伝送路に障害が発生した場合に各イーサネット終端装置及び各端末間のリンクをダウンさせ、障害復旧後に各イーサネット終端装置及び各端末間のリンクを再確立するシステムにおける警報転送方式であって、第１のイーサネット終端装置は、第２の端末と第２のイーサネット終端装置との間、またはのイーサネット終端装置と第２のイーサネット終端装置との間で伝送路障害が発生したことを第２のイーサネット終端装置から通知され、あるいはのイーサネット終端装置とのイーサネット終端装置との間で伝送路障害が発生したことを第１のイーサネット終端装置で検出し、この通知または検出に基づいて強制的なリンクダウン制御を行った場合、の端末と第１のイーサネット終端装置とのリンクがダウンしたことを第２のイーサネット終端装置に通知しないことを特徴とする。
【００１１】
これらの本発明による警報転送方式において、第１のイーサネット終端装置と第２のイーサネット終端装置との間で発生した伝送路障害に基づいて強制的なリンクダウン制御を行った場合、障害が復旧してから所定の時間が経過した後に強制的なリンクダウン制御を停止することが好ましい。
さらに、第１および第２のイーサネット終端装置は、複数の入力ＧｂＥ信号と複数の出力ＧｂＥ信号との間の接続変更を行うクロスコネクト装置であることが好ましい。
または、第１および第２のイーサネット終端装置は、複数のＧｂＥ信号を多重化する多重化装置であることが好ましい。
さらにこれらに加え、第１および第２のイーサネット終端装置は、リンクがダウンしたことの通知をイーサネット信号単位で行い、対向するイーサネット終端装置は、送信元のイーサネット信号を識別して、対応する端末に対してのみ強制的なリンクダウン制御を行うことが好ましい。
【００１２】
あるいは、本発明による警報転送方式は、端末に接続されたイーサネット終端装置同士が、少なくとも２つ、対向するように配置され、イーサネット信号をカプセル化して伝送するシステムにおける警報転送方式であって、他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする。
または、端末に接続されたイーサネット終端装置同士が、少なくとも２つ、中継装置を介して対向するように配置され、イーサネット信号をカプセル化して伝送するシステムにおける警報転送方式であって、他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする。
または、端末に接続されたイーサネット終端装置同士が、少なくとも２つ、対向するように配置され、イーサネット信号をカプセル化して伝送し、イーサネット終端装置及び各端末間のいずれかの伝送路に障害が発生した場合に各イーサネット終端装置及び各端末間のリンクをダウンさせ、障害復旧後に各イーサネット終端装置及び各端末間のリンクを再確立するシステムにおける警報転送方式であって、他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする。
または、端末に接続されたイーサネット終端装置同士が、少なくとも２つ、中継装置を介して対向するように配置され、イーサネット信号をカプセル化して伝送し、イーサネット終端装置及び各端末間のいずれかの伝送路に障害が発生した場合に各イーサネット終端装置及び各端末間のリンクをダウンさせ、障害復旧後に各イーサネット終端装置及び各端末間のリンクを再確立するシステムにおける警報転送方式であって、他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする。
これらの本発明による警報転送方式において、イーサネット終端装置間の伝送路で発生した伝送路障害に基づいて強制的にリンクをダウンさせた場合、障害が復旧してから所定の時間が経過した後に強制的リンクダウン制御を停止することが好ましい。
【００１３】
上記目的を達成するため本発明による警報転送方法は、第１の端末に接続された第１のイーサネット終端装置と第２の端末に接続された第２のイーサネット終端装置とが対向するように配置され、イーサネット信号をカプセル化して伝送するシステムにおける警報転送方法であって、第１のイーサネット終端装置は、第２の端末と第２のイーサネット終端装置との間のリンクがダウンしたことを第２のイーサネット終端装置から通知されたこと、または第１のイーサネット終端装置と第２のイーサネット終端装置との間で伝送路障害が発生したこと、を検出し、この検出に基づいて第１の端末と第１のイーサネット終端装置との間のリンクを強制的にダウンさせた場合、第１の端末と第１のイーサネット終端装置とのリンクがダウンしたことを第２のイーサネット終端装置に通知しないことを特徴とする。
【００１４】
または、本発明による警報転送方法は、第１の端末に接続された第１のイーサネット終端装置と第２の端末に接続された第２のイーサネット終端装置とが、第１のイーサネット終端装置へ接続された第１の中継装置および第２のイーサネット終端装置へ接続された第２の中継装置を介して対向するように配置され、イーサネット信号をカプセル化して伝送するシステムにおける警報転送方法であって、第１のイーサネット終端装置は、第２の端末と第２のイーサネット終端装置との間、または第１のイーサネット終端装置と第２のイーサネット終端装置との間で伝送路障害が発生したことを第２のイーサネット終端装置から通知された場合、あるいは第２のイーサネット終端装置と第１のイーサネット終端装置との間で伝送路障害が発生したことを第１のイーサネット終端装置で検出し、この通知または検出に基づいて強制的なリンクダウン制御を行った場合、第１の端末と第１のイーサネット終端装置とのリンクがダウンしたことを第２のイーサネット終端装置に通知しないことを特徴とする。
【００１５】
または、本発明による警報転送方法は、第１の端末に接続された第１のイーサネット終端装置と第２の端末に接続された第２のイーサネット終端装置とが対向するように配置され、イーサネット信号をカプセル化して伝送し、各イーサネット終端装置及び各端末間のいずれかの伝送路に障害が発生した場合に各イーサネット終端装置及び各端末間のリンクをダウンさせ、障害復旧後に各イーサネット終端装置及び各端末間のリンクを再確立するシステムにおける警報転送方法であって、第１のイーサネット終端装置は、の端末と第２のイーサネット終端装置との間のリンクがダウンしたことを第２のイーサネット終端装置から通知されたこと、または第１のイーサネット終端装置と第２のイーサネット終端装置との間で伝送路障害が発生したことを検出し、この検出に基づいて第１の端末と第１のイーサネット終端装置との間のリンクを強制的にダウンさせた場合、の端末とのイーサネット終端装置とのリンクがダウンしたことを第２のイーサネット終端装置に通知しないことを特徴とする。
【００１６】
または、本発明による警報転送方法は、第１の端末に接続された第１のイーサネット終端装置と第２の端末に接続された第２のイーサネット終端装置とが、のイーサネット終端装置へ接続された第１の中継装置およびのイーサネット終端装置へ接続された第２の中継装置を介して対向するように配置され、イーサネット信号をカプセル化して伝送し、イーサネット終端装置及び各端末間のいずれかの伝送路に障害が発生した場合に各イーサネット終端装置及び各端末間のリンクをダウンさせ、障害復旧後に各イーサネット終端装置及び各端末間のリンクを再確立するシステムにおける警報転送方法であって、第１のイーサネット終端装置は、第２の端末と第２のイーサネット終端装置との間、またはのイーサネット終端装置と第２のイーサネット終端装置との間で伝送路障害が発生したことを第２のイーサネット終端装置から通知され、あるいはのイーサネット終端装置とのイーサネット終端装置との間で伝送路障害が発生したことを第１のイーサネット終端装置で検出し、この通知または検出に基づいて強制的なリンクダウン制御を行った場合、の端末と第１のイーサネット終端装置とのリンクがダウンしたことを第２のイーサネット終端装置に通知しないことを特徴とする。
【００１７】
これらの本発明による警報転送方法において、第１のイーサネット終端装置と第２のイーサネット終端装置との間で発生した伝送路障害に基づいて強制的なリンクダウン制御を行った場合、障害が復旧してから所定の時間が経過した後に強制的なリンクダウン制御を停止することが好ましい。
さらに、第１および第２のイーサネット終端装置は、複数の入力ＧｂＥ信号と複数の出力ＧｂＥ信号との間の接続変更を行うクロスコネクト装置であることが好ましい。
または、第１および第２のイーサネット終端装置は、複数のＧｂＥ信号を多重化する多重化装置であることが好ましい。
さらにこれらに加え、第１および第２のイーサネット終端装置は、リンクがダウンしたことの通知をイーサネット信号単位で行い、対向するイーサネット終端装置は、送信元のイーサネット信号を識別して、対応する端末に対してのみ強制的なリンクダウン制御を行うことが好ましい。
【００１８】
あるいは、本発明による警報転送方法は、端末に接続されたイーサネット終端装置同士が、少なくとも２つ、対向するように配置され、イーサネット信号をカプセル化して伝送するシステムにおける警報転送方法であって、他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする。
または、端末に接続されたイーサネット終端装置同士が、少なくとも２つ、中継装置を介して対向するように配置され、イーサネット信号をカプセル化して伝送するシステムにおける警報転送方法であって、他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする。
または、端末に接続されたイーサネット終端装置同士が、少なくとも２つ、対向するように配置され、イーサネット信号をカプセル化して伝送し、イーサネット終端装置及び各端末間のいずれかの伝送路に障害が発生した場合に各イーサネット終端装置及び各端末間のリンクをダウンさせ、障害復旧後に各イーサネット終端装置及び各端末間のリンクを再確立するシステムにおける警報転送方法であって、他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする。
または、端末に接続されたイーサネット終端装置同士が、少なくとも２つ、中継装置を介して対向するように配置され、イーサネット信号をカプセル化して伝送し、イーサネット終端装置及び各端末間のいずれかの伝送路に障害が発生した場合に各イーサネット終端装置及び各端末間のリンクをダウンさせ、障害復旧後に各イーサネット終端装置及び各端末間のリンクを再確立するシステムにおける警報転送方法であって、他のイーサネット終端装置から、当該イーサネット終端装置に接続された端末とのリンクがダウンしたこと、または当該イーサネット終端装置に向かう伝送路上に障害が発生したことを通知されたイーサネット終端装置は、この通知に基づいて強制的なリンクダウン制御を行って通知を受けた側のイーサネット終端装置とのリンクを強制的にダウンさせたことを通知元のイーサネット終端装置に通知しないことを特徴とする。
これらの本発明による警報転送方法において、イーサネット終端装置間の伝送路で発生した伝送路障害に基づいて強制的にリンクをダウンさせた場合、障害が復旧してから所定の時間が経過した後に強制的リンクダウン制御を停止することが好ましい。
【００１９】
〔作用〕
本発明による警報転送方式は、イーサネット信号をＧＦＰ等でカプセル化して伝送するシステムにおける警報転送方式に関し、一方のイーサネット終端装置でリンクダウンを検出したときには、対向するイーサネット終端装置にリンクダウン情報を通知して、対向する端末とのリンクをダウンさせる。
対向イーサネット終端装置では、警報を検出すると端末とのリンクを強制的にダウンさせることにより、端末間のイーサネットパスが利用できないことを両端末が認識することができる。強制的にリンクダウンさせると対向イーサネット終端装置で端末間のリンクダウンを検出することになるが、強制的にリンクダウン制御を行った結果として検出されたリンクダウンについては、警報転送を行わないようにする。また、リンクダウン検出中に対向イーサネット終端装置からのリンクダウン警報転送を受信したときには、リンクダウン警報転送による強制リンクダウン制御を行わないようにする。自装置でのリンクダウンと対向装置からのリンクダウン警報とを同時に検出した場合には、自装置でのリンクダウンの警報処理を優先させる。
【００２０】
また、本発明による警報転送方式は、イーサネット信号をＧＦＰ等でカプセル化して伝送するシステムであって、中継伝送路をＳＤＨで転送するシステムの警報転送方式に関し、中継伝送路で障害が発生した場合にはＳＤＨの警報転送を利用してイーサネットパスが使用できない状態であることを両端末に通知する。
ＳＤＨの警報転送により中継伝送路で障害が発生したことを認識した受信側イーサネット終端装置は、端末に対して強制的にリンクをダウンさせる。送信側イーサネット終端装置にもＳＤＨの警報転送が行われるため、受信側イーサネット終端装置と同様に、端末とのリンクを強制的にダウンさせる。中継伝送路の障害はＳＤＨの警報転送により両イーサネット終端装置に通知されるため、リンクダウン検出による対向イーサネット終端装置へのリンクダウン警報転送は必要ない。ＳＤＨ警報受信で行う強制リンクダウン制御により、二次的にリンクダウン状態になるが、対向からのリモートリンクダウン受信の場合と同様に、ＳＤＨ警報受信による二次的なリンクダウン検出の場合には対向装置に対するリンクダウン警報転送を行わないようにする。
【００２１】
さらに、本発明による警報転送方式は、ＳＤＨ警報転送で検出した警報がＬＯＳ（Loss  Of  Signal）またはＬＯＦ（Loss  Of  Frame）の場合には、これらが復旧するときには、ＳＤＨフレーム同期確立し、ＡＩＳ（Alarm  Indication  Signal）／ＲＤＩ（Remote  Defect  Indication）を検出することができる時間まで待ってから強制リンクダウン制御の停止を行うことにより、状態遷移中の過渡的状態において、一時的なリンク確立状態になることを防止することができる。
【００２２】
上記本発明を適用した警報転送方式によれば、自装置でのリンクダウンと対向装置からのリンクダウン警報を同時に検出した場合には、先に検出した方の警報処理を行うこと、強制リンクダウン制御による二次的なリンクダウン検出時にはリンクダウン警報転送を行わないようにすることができる。
【００２３】
【発明の実施の形態】
〔第１の実施形態〕
本発明による警報転送方式を好適に実施した第１の実施形態について説明する。
図１に、本実施形態による警報転送方式が適用される伝送システムの構成を示す。この伝送システムは、端末１００、２００およびイーサネット終端装置１１０、１２０を有する。イーサネット終端装置１１０とイーサネット終端装置１２０とは、対向して配置される。
イーサネット終端装置１１０は、ＭＡＣ終端回路１１１、カプセル化回路１１２、警報送信回路１１３、警報検出回路１１４、デカプセル化回路１１５および警報処理装置１１６を有する。
【００２４】
ＭＡＣ終端回路１１１は、ＭＡＣ（Media  Access  Contorl）フレームを終端するとともに、リンク状態を検出して警報処理回路１１６に通知する。さらに、警報処理回路１１６からのからの指示に基づいて、リンクを強制的にダウンさせる。カプセル化回路１１２は、ＭＡＣ終端回路１１１で受信したパケットをＧＦＰ等を用いてカプセル化する。警報送信回路１１３は、警報処理回路１１６からの指示に基づいて、主信号（パケットデータの伝送路）を介してリンクダウン警報を対向するイーサネット終端装置１２０に送出する。警報検出回路１１４は、対向するイーサネット終端装置１２０から受信した信号よりリンクダウン警報を検出して、警報処理回路１１６に通知する。デカプセル化回路１１５は、カプセル化されたデータからパケットデータを取りだして取得する。警報処理回路１１６は、ＭＡＣ終端回路１１１から通知されたリンク情報と警報検出回路１１４から通知されたリンクダウン警報とに基づいて、リンクダウン警報を転送するか否か、および強制リンクダウン制御を行うか否かを判断する。さらに、リンクダウン警報送信を警報送信回路１１３に指示するとともに、強制リンクダウン制御をＭＡＣ終端制御を指示する。
【００２５】
なお、イーサネット終端装置１２０の構成は、イーサネット終端装置１１０と同様であり、ＭＡＣ終端回路１２１、カプセル化回路１２２、警報送信回路１２３、警報検出回路１２４、デカプセル化回路１２５および警報処理回路１２６を有する。
各部それぞれの機能もイーサネット終端装置１１０において対応する各部と同様である。
【００２６】
端末１００を送信側、端末２００を受信側とした場合を例に説明する。イーサネット終端装置１１０では、端末１００から入力されたイーサネット信号をＭＡＣ終端回路１１１で終端してパケットを取りだす。取り出したパケットはカプセル化回路１１２でカプセル化してから対向するイーサネット終端装置１２０に送信する。
イーサネット終端装置１２０では、イーサネット終端装置１１０から受信したカプセル化データをデカプセル化回路１１２でパケットに復元し、ＭＡＣ終端回路１２１でイーサネットフレームを再構成して端末２００に出力する。
警報送信回路１１３および警報検出回路１２４は、障害が発生していない場合には、何も処理を行わない。
【００２７】
図３に、端末１００とイーサネット終端装置１１０との間で障害が発生した場合の制御シーケンスを示す。図１および図３を用いてこの場合の動作を説明する。
イーサネット終端装置１１０と端末１００との間で障害が発生し、ＭＡＣ終端回路１１１がリンクダウンを検出したときは（図３、Ｓ１００１）、リンクダウン情報（図１、Ｓ１１１）を警報処理回路１１６に通知する。警報処理回路１１６は、リングダウン情報（図１、Ｓ１１１）を受信すると、警報送信回路１１３に対してリングダウン警報送信指示（図１、Ｓ１１２）を通知する。警報送信回路１１３は、リングダウン警報送信指示（図１、Ｓ１１２）を受信すると、リングダウン警報を対向するイーサネット終端装置１２０に転送する（図３、Ｓ１００２）。
【００２８】
リンクダウン警報の転送方法としては、ＧＦＰの場合は、ペイロードヘッダ内に警報ビットを定義して転送方法やＯＡＭフレームを定義して転送する方法が考えられる。他のカプセル化方式でも同様の手段で転送することが可能である。なお、ＧＦＰは標準化団体Ｔ１Ｘ１．５において標準化が進められているカプセル化方式である。
【００２９】
イーサネット終端装置１２０では、警報検出回路１２３においてデータ信号中からリンクダウン警報を検出して（図３、Ｓ１００３）警報処理回路１２６に通知（図１、Ｓ１２３）する。警報処理回路１２６ではリンクダウン警報が通知されると、ＭＡＣ終端回路１２１に対して端末とのデータリンクを強制的にダウンさせるように指示（図１、Ｓ１２４）する。ＭＡＣ終端回路１２１では、強制リンクダウン指示（図１、Ｓ１２４）を受けると、データリンクがダウンするように制御する（図３、Ｓ１００４）。
【００３０】
データリンクを強制的にダウンさせる方法としては、端末との接続が電気信号の場合は出力信号をオープン状態にして何も出力しないようにする方法がある。端末との接続が光信号の場合には、光出力を停止する方法がある。光出力を停止する制御の場合は、警報処理回路１２６から光モジュールに対して制御を行っても良い。なお、図1には光モジュールは図示していない。
【００３１】
強制リンクダウン制御を行うことにより、イーサネット終端装置１２０と端末２００との間のデータリンクがダウンし（図３、Ｓ１００５）、ＭＡＣ終端回路１２１がリンクダウンを検出して（図３、Ｓ１００６）、警報処理回路１２６にリンクダウン情報（図１、Ｓ１２１）を通知する。
警報処理回路１２６では、自装置（イーサネット終端装置１２０）でリンクダウン情報を検出するより先に、対向装置（イーサネット終端装置１１０）からのリンクダウン情報を検出しているため、警報処理回路１２３に対してはリンクダウン警報転送指示（図１、Ｓ１２２）を通知しないようにする。
【００３２】
その後、障害が復旧すると、ＭＡＣ終端回路１１１と端末１００との間で、オートネゴシエーション制御が実行されて、接続が確立する（図３、Ｓ１００７）。リンクが確立するとＭＡＣ終端回路１１１ではリンクダウンが検出されなくなる（図３、Ｓ１００８）。
また、イーサネット終端装置１２０において、ＭＡＣ終端回路１２１が対向装置（イーサネット終端装置１１０）でリンクダウンが復旧したことを（図３、Ｓ１００９）検出すると、警報処理回路１２６はＭＡＣ終端回路１２１への強制リンクダウン制御指示を停止する（図３、Ｓ１００９）。ＭＡＣ終端回路１２１が強制リンクダウン制御を停止すると、ＭＡＣ終端回路１２１と端末２００との間でリンクを確立するためにオートネゴシエーション制御が実行されて（図３、Ｓ１０１０）、接続が確立する。リンクが確立すると、ＭＡＣ終端回路１２１でリンクダウンが検出されなくなり、端末間のイーサネットパスが使用可能となる。
【００３３】
図４に、端末１００とイーサネット終端装置１１０とのデータリンク、および端末２００とイーサネット終端装置２００とのデータリンクが同時にダウンした場合の制御シークエンスを示す。図１および図４を用いてこの場合の動作を説明する。
警報転送処理時間および伝送路遅延の影響により、イーサネット終端装置１１０は、自装置（イーサネット終端装置１１０）でのリンクダウンを検出したあとで（図４、Ｓ２００１ａ）、対向装置（イーサネット終端装置１２０）からのリンクダウン警報を検出する（図４、Ｓ２００２ａ）。
同様に、イーサネット終端装置１２０も、自装置（イーサネット終端装置１２０）でのリンクダウンを検出したあとで（図４、Ｓ２００１ｂ）、対向装置１１０からのリンクダウン警報を検出する（図４、Ｓ２００２ｂ）。
【００３４】
この場合イーサネット終端装置１１０では、ＭＡＣ終端回路１１１において自装置（イーサネット終端装置１１０）のリンクダウンを検出して警報処理回路１１６に通知している状態の時に、警報検出回路１１４が対向装置（イーサネット終端装置１２０）からのリンクダウン情報を検出して警報処理回路１１６に通知することになる。
警報処理回路１１６では、対向装置（イーサネット終端装置１２０）のリンクダウンを検出する前にすでに自装置（イーサネット終端装置１１０）のリンクダウンを検出しているため、対向装置（イーサネット終端装置１２０）から受信したリンクダウン警報に基づいた強制リンクダウン制御は行わない。これは、イーサネット終端装置１２０についても同様である。
【００３５】
仮に、強制リンクダウンを行ってしまうと、イーサネット終端装置１１０と端末１００との間、およびイーサネット終端装置１２０と端末２００との間がともに強制リンクダウン状態となってしまう。この場合は、双方のイーサネット終端装置が対向側で生じた障害の復旧を待つことになってしまい、再びリンクを確立することはできなくなってしまう。
よって、このような場合においては、対向装置から受信したリンクダウン警報に基づいた強制リンクダウン制御は行わないことが好ましい。
【００３６】
その後、端末１００とイーサネット終端装置１１０との間の障害が先に復旧した場合、ＭＡＣ終端回路１１１と端末１１０との間でオートネゴシエーション制御が実行され（図４、Ｓ２００３）、接続が確立する。これにより、イーサネット終端装置１２０では、対向装置（イーサネット終端装置１１０）側の障害が復旧したことが検出される（図４、Ｓ２００４）。
【００３７】
イーサネット終端装置１１０では、端末１００との接続が確立したことによりＭＡＣ終端回路１１１がリンクダウンを検出しなくなると、警報処理回路１１６がＭＡＣ終端回路１１１に対して強制リンクダウン制御の指示（図１、Ｓ１１４）を行う。これを受けてＭＡＣ終端回路１１１は、強制リンクダウン制御を行って（図４、Ｓ２００５）、端末１００とのリンクをダウンさせる。これにより、ＭＡＣ終端回路１１１では、リンクダウンが検出される（図４、Ｓ２００６）。
【００３８】
その後、イーサネット終端装置１２０と端末２００との間の障害が復旧すると、ＭＡＣ終端回路１２１と端末２００との間でオートネゴシエーション制御が実行され（図４、Ｓ２００７）、接続が確立する。これにより、イーサネット終端装置１１０では、対向装置（イーサネット終端装置１２０）側の障害が復旧したことが検出される（図４、Ｓ２００８）。これを受けて、警報処理回路１１６はＭＡＣ終端回路１１１への強制リンクダウン制御指示を停止する。その後、ＭＡＣ終端回路１１１と端末１００との間でオートネゴシエーション制御が実行され（図４、Ｓ２００９）、接続が確立する。リンクが確立すると、ＭＡＣ終端回路１１１でリンクダウンが検出されなくなり、端末間のイーサネットパスが使用可能となる。
【００３９】
〔第２の実施形態〕
次に本発明による警報転送方式を好適に実施した第２の実施形態について説明する。
図２に、本実施形態による警報転送方式が適用される伝送システムの構成を示す。この伝送システムは、端末１００、２００、イーサネット終端装置１１０、１２０および中継装置１３０、１４０を有する。
本実施形態による警報転送方式は、第１の実施形態による警報転送方式に加えて、イーサネット終端装置１１０と１２０との間に中継装置１３０および１４０が配置した構成となっている。
【００４０】
本実施形態におけるイーサネット終端装置１１０は、第１の実施形態での構成に加えてさらに、ＳＤＨ終端回路１１７を有する。
本実施形態における警報処理回路１１６は、ＭＡＣ終端回路１１１から通知されたリンク情報と警報検出回路１１４から通知されたリンクダウン警報とＳＤＨ終端回路１１７から通知されたＳＤＨ警報とに基づいて、リンクダウン警報転送を行うか否かおよび強制リンクダウン制御を行うか否かの判断を行い、リンクダウン警報送信指示を警報送信回路１１３に指示するとともに、強制リンクダウン制御指示をＭＡＣ終端回路１１１に対して指示する。
ＳＤＨ（Synchronous  Degital  Hierarchy）終端回路１１７は、イーサネット終端装置１１０と中継伝送路（中継装置１３０、１４０）とのインターフェースである。ＳＤＨ終端回路１１７は、中継伝送路上で発生した障害を検出する。
イーサネット終端装置１２０は、第１の実施形態での構成に加えてさらにＳＤＨ終端回路１２７を有する。各部の機能は、イーサネット終端装置１１０の対応する各部と同様である。
【００４１】
図５に、本実施形態による警報転送方式の動作シーケンスを示す。図２および図５を用いてこの場合の動作を説明する。
中継装置１４０からイーサネット終端装置１２０に向かう伝送路で障害が発生すると、イーサネット終端装置１２０内のＳＤＨ終端回路１２７でＬＯＳ（Loss  Of  Signal）が検出され（図５、Ｓ３００１）、警報処理回路１２６にはＳＤＨ警報（図２、Ｓ１２５）が通知される。同時に、ＳＤＨ終端回路１２７は対向する対向装置（イーサネット終端装置１１０）に対してＭＳ−ＲＤＩ（Multiplex  Section-Remote  Defect  Indication）を送信する（図５、Ｓ３００２）。
警報処理回路１２６はＭＡＣ終端回路１２１に対して強制リンクダウンの指示（図２、Ｓ１２４）を行い、ＭＡＣ終端回路１２１が強制リンクダウン制御を行って（図５、Ｓ３００３）、端末２００とのリンクをダウンさせる（図５、Ｓ３００４）。
【００４２】
この強制リンクダウン制御によりＭＡＣ終端回路１２１でリンクダウンが検出されるが（図５、Ｓ３００５）、先にＳＤＨ警報（ここではＬＯＳ）を検出しているため、対向装置（イーサネット終端装置１１０）に対するリンクダウン警報転送は行わない。
【００４３】
イーサネット終端装置１２０から送信されたＭＳ−ＲＤＩは中継装置１４０および中継装置１３０を介してイーサネット終端装置１１０に通知される。イーサネット終端装置１１０内のＳＤＨ終端回路１１７は、イーサネット終端装置１２０から受信したＭＳ−ＲＤＩを検出し（図５、ステップＳ３００６）、警報処理回路１１６にＳＤＨ警報を通知（図２、Ｓ１１５）する。
警報処理回路１１６は、ＭＡＣ終端回路１１１に対して強制リンクダウンの指示（図２、Ｓ１１４）を行う。ＭＡＣ終端回路１１１は強制リンクダウン制御を行って（図５、Ｓ３００７）、端末１００とのリンクをダウンさせる（図５、Ｓ３００８）。
【００４４】
この強制リンクダウン制御により、ＭＡＣ終端回路１１１でリンクダウンが検出されるが（図５、Ｓ３００９）、先にＳＤＨ警報（ここではＭＳ−ＲＤＩ）を検出しているため、対向装置（イーサネット終端装置１２０）に対するリンクダウン警報転送は行わない。
【００４５】
伝送路障害が復旧すると、イーサネット終端装置１２０のＳＤＨ終端回路１２７がＬＯＳを検出しなくなり、警報処理回路１２６へのＳＤＨ警報通知（図２、Ｓ１２５）を停止する。警報処理回路１２６は、ＬＯＳ通知が無くなった後も強制リンクダウン制御を継続し、一定時間が経過した後強制リンクダウン制御を停止する（図５、Ｓ３０１０）。強制リングダウン制御が停止されると、ＭＡＣ終端回路１２１と端末２００との間でリンクを確立するためにオートネゴシエーション制御が実行され（図５、Ｓ３０１１）、リンクが確立する。リンクが確立するとＭＡＣ終端回路１２１ではリンクダウンが検出されなくなる（図５、Ｓ３０１２）。
【００４６】
また、ＭＡＣ終端回路１２１はＬＯＳが検出されなくなると、ＭＳ−ＲＤＩの送出を停止する（図５、Ｓ３０１３）。イーサネット終端装置１１０のＳＤＨ終端回路１１７は、ＭＳ−ＲＤＩを検出しなくなると、警報処理回路１１６にＭＳ−ＲＤＩ検出の停止を通知し、警報処理回路１１６は、ＭＡＣ終端回路１１１への強制リンクダウン制御指示を停止する（図５、Ｓ３０１４）。
【００４７】
ＭＡＣ終端回路１１１が強制リンクダウン制御を停止すると、ＭＡＣ終端回路１１１と端末１００との間でリンクを確立するためにオートネゴシエーション制御が実行され（図５、Ｓ３０１５）、リンクが確立する。リンクが確立すると、ＭＡＣ終端回路１１１でリンクダウンが検出されなくなる（図５、Ｓ３０１６）。
【００４８】
なお、ＳＤＨ警報復旧時には、強制リンクダウン制御の停止を一定期間遅らせる必要性がある。図６を用いてこの理由を説明する。
中継装置１４０からイーサネット終端装置１２０に向かう伝送路で障害が発生した場合、イーサネット終端装置１２０では自装置（イーサネット終端装置１２０）で強制リンクダウン制御を行うとともに（図６、Ｓ４００１）、対向するイーサネット終端装置１１０に対してＭＳ−ＲＤＩを転送する（図６、Ｓ４００２）。
【００４９】
イーサネット終端装置１１０では、ＭＳ−ＲＤＩを検出すると（図６、Ｓ４００３）、強制リンクダウン制御を行い（図６、Ｓ４００４）、端末１００とのリンクをダウンさせる。
【００５０】
この状態でさらに、イーサネット終端装置１２０からイーサネット終端装置１１０へ向かう伝送路で伝送路障害が発生した場合（ここでは中継装置１４０から中継装置１３０へ向かう伝送路で障害が発生した場合）、イーサネット終端装置１２０が送信したＭＳ−ＲＤＩは、イーサネット終端装置１１０まで到達しなくなる（図６、Ｓ４００５）。
【００５１】
この場合、中継装置１３０が障害発生を検出して、イーサネット終端装置１１０に対してＭＳ−ＡＩＳ（Multiplex  Section-Alarm  Indication  Signal）を送信する（図６、Ｓ４００６）。イーサネット終端装置１１０のＳＤＨ終端回路１１７では、ＭＳ−ＲＤＩが再び検出され、かつＭＳ−ＡＩＳが検出される（ステップＳ４００７）。よって、ＭＳ−ＲＤＩは復旧するものの同時にＭＳ−ＡＩＳが検出されるため、警報処理回路１１６に対するＳＤＨ警報通知は継続され、強制リンクダウン制御も継続される（図６、Ｓ４００８）。ＳＤＨ終端回路１１７では、ＭＳ−ＡＩＳ検出により対向装置（イーサネット終端装置１２０）に対してＭＳ−ＲＤＩを転送する。しかし、先に発生した障害のため、このＭＳ−ＲＤＩはイーサネット終端装置１２０には到達しない。
【００５２】
この状態で先に発生した障害が復旧したすると（図６、Ｓ４００９）、イーサネット終端装置１１０が転送したＭＳ−ＲＤＩは、イーサネット終端装置１２０で受信されることになる。イーサネット終端装置１２０は、ＬＯＳが復旧した後に、２フレーム連続して（１フレームは１２５μｓ）ＭＳ−ＲＤＩを受信した場合にＳＤＨのフレームを確立する（図６、Ｓ４０１０）。すなわち、最低２フレーム時間掛かってＳＤＨのフレーム同期が確立する。この後、さらに３フレーム連続してＭＳ−ＲＤＩを受信することで初めてＭＳ−ＲＤＩを検出したとみなす（図６、Ｓ４０１１）。
したがって、ＬＯＳ復旧からＭＳ−ＲＤＩ検出まで最低でも６２５μｓの時間が必要となる。また、ＬＯＳが復旧すると、端末２００に対する強制リンクダウン制御が停止し、リンク確立動作が行われる。
【００５３】
ここで、ＬＯＳ復旧からＭＳ−ＲＤＩ検出までの間にリンクが確立した場合を考えると、一時的にリンクが正常状態に復旧したようにみなされてしまう。
実際には、まだ別の障害（中継装置１３０から中継装置１４０に向かう伝送路で発生した障害）が残っているため、両端末間のイーサネットパスとしては使用不可能な状態である。
【００５４】
このように、端末間のイーサネットパスが使用不可能な状態であるにも関わらず、リンクが正常になってしまう問題を解決するため、ＬＯＳ復旧後にＭＳ−ＲＤＩまたはＭＳ−ＡＩＳを検出できるまでの時間、強制リンクダウン制御の停止を延期することが好ましい。
【００５５】
以上説明したように、本発明を適用した上記実施形態に係る警報転送方式によれば、対向からのリンクダウン警報転送またはＳＤＨ警報受信による強制的なリンクダウン制御を行った結果のリンクダウン検出では、リンクダウン警報転送しないように制御することができる。
また、ＳＤＨ警報検出による強制リンクダウン制御を行っている場合に、ＳＤＨ警報が復旧した時には、障害復旧後すぐに強制リンクダウン制御を停止するのではなく、ＳＤＨのフレーム同期確立後ＡＩＳ／ＲＤＩを検出するために必要な時間だけ、強制リンクダウン制御の停止を遅らせることができる。なお、ＡＩＳ／ＲＤＩの復旧時の強制リンクダウン制御停止は、遅らせても遅らせなくても良いが、少なくともＬＯＳ／ＬＯＦの復旧時には強制リンクダウン制御の停止を遅らせる必要がある。
さらに、イーサネット終端装置が複数のＧｂＥ信号を多重する多重化装置である場合、イーサネット信号単位に警報転送を行い、対向イーサネット多重化装置では送信元のイーサネット信号を識別して、対応する端末に対してのみ強制リンクダウン制御を行うことができる。
【００５６】
なお、上記各実施形態は本発明による警報転送方式の好適な実施の一例であり、本発明はこれらに限定されるものではない。
例えば、上記各実施形態では、端末およびイーサネット終端装置が２組接続された伝送システムを例に本発明による警報転送方式を説明をしたが、端末およびイーサネット終端装置を３組以上有する構成としてもよい。
また、上記各実施形態では端末１００を送信側、端末２００を受信側として説明したが、逆の場合でも同様の制御を行える。
あるいは、第１の実施形態による伝送システムは中継装置をさらに備えていてもよいし、第２の実施形態による伝送システム必ずしも中継装置を備えていなくとも、上記各実施形態と同様の動作を実行できる。
このように、本発明は主旨を逸脱しない範囲において様々に変形することができる。
【００５７】
【発明の効果】
以上の説明により明らかなように、本発明を適用した警報転送方式や警報転送方法によれば、端末とイーサネット終端装置との間でリンク制御を行うシステムに対して好適な警報転送方式及び方法を提供できる。
また、障害復旧時の過渡的な状態において、別の障害が原因でイーサネットパスが使用できない場合に、一時的にリンク確立状態になることを防ぐことができる。
さらに、両端の端末がリンクダウンを監視することによりイーサネットパスの障害を認識できるため、リンクダウンをプロテクション切り替えの契機として利用できる。すなわち、伝送路障害を検出した場合は、予備の伝送路に切り替えることで回線の救済を行うことができる。
【図面の簡単な説明】
【図１】  本発明の第１の実施形態による警報転送方式が適用される伝送システムの構成を示すブロック図である。
【図２】  本発明の第２の実施形態による警報転送方式が適用される伝送システムの構成を示すブロック図である。
【図３】  第１の実施形態による警報転送方式において、端末とイーサネット終端装置との間で障害が発生した場合の動作の流れを示すシーケンス図である。
【図４】  第１の実施形態による警報転送方式において、端末とイーサネット終端装置とのデータリンクが２箇所で同時にダウンした場合の動作の流れを示すシーケンス図である。
【図５】  第２の実施形態による警報転送方式において、イーサネット終端装置間の伝送路上で障害が発生した場合の動作の流れを示すシーケンス図である。
【図６】  ＳＤＨ警報復旧時に、強制リンクダウン制御の停止を一定期間遅らせる動作の流れを示すシーケンス図である。
【図７】  従来技術における警報転送の動作の流れを示すシーケンス図である。
【符号の説明】
１００、２００  端末
１１０、１２０  イーサネット終端装置
１１１、１２１  ＭＡＣ終端回路
１１２、１２２  カプセル化回路
１１３、１２３  警報送信回路
１１４、１２４  警報検出回路
１１５、１２５  デカプセル化回路
１１６、１２６  警報処理回路
１１７、１２７  ＳＤＨ終端回路
１３０、１４０  中継装置
【図１】
0003695375.tif 000002
【図２】
0003695375.tif 000003
【図３】
0003695375.tif 000004
【図４】
0003695375.tif 000005
【図５】
0003695375.tif 000006
【図６】
0003695375.tif 000007
【図７】
0003695375.tif 000008